(57)【要約】【課題】目的地周辺の地図データが詳細でない場合に、適切な誘導経路を探索可能にする「車載用ナビゲーション装置」を提供すること。【解決手段】車載用ナビゲーション装置は、表示手段と、簡略な地図データが格納された第１の記憶手段と、詳細な地図データが格納された第２の記憶手段と、情報入力手段と、自車位置から目的地までの経路探索を第１の記憶手段に格納された簡略な地図データを用いて行い、経路探索終了地点から目的地までの距離が所定の距離以上離れているときに目的地の周辺の詳細な地図データのダウンロードを促すメッセージを表示手段の画面に表示する制御手段と、を有する。制御手段は、目的地の周辺の詳細な地図データを第２の記憶手段から取得する旨の指示があったとき、目的地の周辺の所定の範囲の詳細な地図データを第１の記憶手段にダウンロードし、目的地までの誘導経路を再度探索する。【選択図】図３
2010145352.tif 000002
【特許請求の範囲】
【請求項１】
表示手段と、
簡略な地図データが格納された第１の記憶手段と、
詳細な地図データが格納された第２の記憶手段と、
ユーザが指示する情報を入力する情報入力手段と、
自車位置から前記情報入力手段を介して指示された目的地までの経路探索を前記第１の記憶手段に格納された簡略な地図データを用いて行い、経路探索終了地点から前記目的地までの距離が所定の距離以上離れているときに前記目的地の周辺の詳細な地図データのダウンロードを促すメッセージを前記表示手段の画面に表示する制御手段と、
を有することを特徴とする車載用ナビゲーション装置。
【請求項２】
前記制御手段は、前記目的地の周辺の詳細な地図データを前記第２の記憶手段から取得する旨の指示があったとき、前記目的地の周辺の所定の範囲の詳細な地図データを前記第１の記憶手段にダウンロードし、前記目的地までの誘導経路を再度探索することを特徴とする請求項１に記載の車載用ナビゲーション装置。
【請求項３】
前記制御手段は、前記詳細な地図データの範囲内で前記誘導経路を再度探索することを特徴とする請求項２に記載の車載用ナビゲーション装置。
【請求項４】
前記制御手段は、前記経路探索終了地点から前記目的地までの距離を前記表示手段の画面に表示することを特徴とする請求項１から３のいずれか一項に記載の車載用ナビゲーション装置。
【請求項５】
前記制御手段は、前記目的地の周辺の地図データが詳細な地図データではないときに、前記詳細な地図データのダウンロードを促すメッセージを表示することを特徴とする請求項１から３のいずれか一項に記載の車載用ナビゲーション装置。
【請求項６】
さらに、音声出力手段を備え、
前記制御手段は、前記メッセージを前記表示手段の画面に表示するとともに、当該メッセージを前記音声出力手段を介して音声出力させることを特徴とする請求項１から３のいずれか一項に記載の車載用ナビゲーション装置。
【発明の詳細な説明】
【技術分野】
【０００１】
本発明は、車載用ナビゲーション装置に係り、特に、地図データが格納される記憶装置が小容量のときでも適切な案内が可能なように適応された車載用ナビゲーション装置に関する。
【背景技術】
【０００２】
従来の典型的な車載用ナビゲーション装置は、ナビゲーションに係る一切の処理を制御するＣＰＵ等の制御装置、地図データを予め記憶させたＤＶＤ(Digital Versatile Disk)−ＲＯＭやＩＣメモリカード等の記憶装置、表示装置、ＧＰＳ(Global Positioning System)受信機、ジャイロや車速センサ等の車両の現在位置及び現在方位を検出する検出装置等を有している。そして、制御装置により、車両の現在位置を含む地図データを記憶装置から読み出し、該地図データに基づいて車両位置の周囲の地図画像を表示装置の画面に表示すると共に、自車の現在位置を指示する車両位置マークを地図画像に重ね合わせて表示し、車両の移動に応じて地図画像をスクロール表示したり、地図画像を画面に固定し車両位置マークを移動させたりして、車両が現在どこを走行しているのかを一目で判るようにしている。
【０００３】
また、車載用ナビゲーション装置には、通常、ユーザが目的地に向けて道路を間違うことなく容易に走行できるように案内する機能（経路案内機能）が搭載されている。この経路案内機能によれば、ＣＰＵにより、地図データを用いて出発地（典型的には自車の現在位置）から目的地までを結ぶ最適な経路を、横型探索法やダイクストラ法等のシミュレーション計算を行って探索し、その探索した経路を誘導経路として記憶しておき、走行中、地図画像上にその誘導経路を他の道路とは識別可能に（例えば、色を変えたり、線幅を太くして）表示したり、また、自車が案内経路上で進路を変更すべき交差点まで所定距離に近づいたときに地図画像上にその交差点の案内図（交差点拡大図、該交差点での進行方向を示す矢印、該交差点までの距離、交差点名など）を表示したりすることで、いずれの道路を走行すればよいか、また、交差点でどの方向に進んだらよいかをユーザが把握できるようになっている。
【０００４】
近年、通信技術の発展により、通信ネットワークを介してナビゲーション装置で使用される地図データを配信でき、配信された地図データを用いて誘導経路を探索して経路案内を行うことが可能になっている。また、情報センターのサーバに自車位置と目的地を送信することにより、サーバ側で誘導経路を探索し、その結果が地図データとともに自車にダウンロードされて、経路案内を行うことも可能になっている。
【０００５】
これに関連する技術として、特許文献１には、地図データがダウンロードされた範囲内で探索された誘導経路から自車が外れたとき、ダウンロードエリア内での再探索が不可能であれば新たな地図データや経路案内データをサーバから取得して目的地までの案内をする装置が記載されている。
【特許文献１】特開２００４−７７４４１号公報
【発明の開示】
【発明が解決しようとする課題】
【０００６】
上述したように、全国の地図データではなく必要な地域の詳細な地図データをサーバから取得して誘導経路を探索することが可能となっている。
【０００７】
一方、記憶容量の制約により、全国の地図データは主要道路等に限定し、必要な領域だけ詳細な地図データを記憶部に保存する形態のナビゲーション装置がある。このようなナビゲーション装置では、目的地を設定した周辺に詳細地図データが使用されていれば、目的地の近辺まで経路案内をすることが可能である。
【０００８】
しかし、目的地周辺の地図が詳細地図データではない場合には、経路探索を終了した地点（例えば、主要幹線道路上の地点）から目的地までの距離がかなり離れてしまい、その地点から目的地までの経路案内ができずに運転者が道に迷ってしまうことになりかねない。
【０００９】
本発明は、かかる従来技術の課題に鑑みなされたものであり、目的地周辺の地図データが詳細でない場合に、適切な誘導経路を探索可能にする車載用ナビゲーション装置を提供することを目的とする。
【課題を解決するための手段】
【００１０】
上述した従来技術の課題を解決するため、本発明の基本形態によれば、表示手段と、簡略な地図データが格納された第１の記憶手段と、詳細な地図データが格納された第２の記憶手段と、ユーザが指示する情報を入力する情報入力手段と、自車位置から前記情報入力手段を介して指示された目的地までの経路探索を前記第１の記憶手段に格納された簡略な地図データを用いて行い、経路探索終了地点から前記目的地までの距離が所定の距離以上離れているときに前記目的地の周辺の詳細な地図データのダウンロードを促すメッセージを前記表示手段の画面に表示する制御手段と、を有することを特徴とする車載用ナビゲーション装置が提供される。
【００１１】
この形態に係る車載用ナビゲーション装置において、前記制御手段は、前記目的地の周辺の詳細な地図データを前記第２の記憶手段から取得する旨の指示があったとき、前記目的地の周辺の所定の範囲の詳細な地図データを前記第１の記憶手段にダウンロードし、前記目的地までの誘導経路を再度探索するようにしてもよく、前記制御手段は、前記詳細な地図データの範囲内で前記誘導経路を再度探索するようにしてもよい。
【００１２】
また、この形態に係る車載用ナビゲーション装置において、前記制御手段は、前記経路探索終了地点から前記目的地までの距離を前記表示手段の画面に表示するようにしてもよく、前記制御手段は、前記目的地の周辺の地図データが詳細な地図データではないときに、前記詳細な地図データのダウンロードを促すメッセージを表示するようにしてもよく、さらに、音声出力手段を備え、前記制御手段は、前記メッセージを前記表示手段の画面に表示するとともに、当該メッセージを前記音声出力手段を介して音声出力させるようにしてもよい。
【００１３】
本発明の車載用ナビゲーション装置によれば、記憶部に格納されている地図データを用いて誘導経路の探索を行ったとき、経路探索終了地点から目的地までの距離が所定の距離以上離れていれば、目的地周辺の地図データを詳細地図データにすることを推奨するようにしている。この推奨に従い詳細地図データをダウンロードして目的地までの経路を再探索した場合には、経路探索終了地点から目的地までの距離は詳細地図データがないときよりも短くなり、より適切な経路案内を行うことが可能となる。
【発明を実施するための最良の形態】
【００１４】
以下、本発明の実施形態について、添付の図面を参照して説明する。
【００１５】
（車載用ナビゲーション装置の構成）
図１は本発明の実施形態に係る車載用ナビゲーション装置１００の構成を示すブロック図である。
【００１６】
図中、１はＤＶＤドライブを示し、このＤＶＤドライブ１によって駆動されるＤＶＤ−ＲＯＭ１ａには地図データその他の案内データが格納されている。ＤＶＤ−ＲＯＭ１ａに格納されている地図データは、１／１２５００、１／２５０００、１／５００００、１／１０００００等の各縮尺レベルに応じて適当な大きさの経度幅及び緯度幅に区切られており、この地図に含まれる道路、建築物、施設その他の各種物件は、経度及び緯度で表現された点（ノード）の座標集合として記憶されている。地図データは、（１）道路リスト、ノードテーブル、交差点構成ノードリスト等からなる道路レイヤ、（２）地図画像上に道路、建築物、公園、河川等を表示するための背景レイヤ、（３）市町村名などの行政区画名、道路名、交差点名などを指示する文字や地図記号等を表示するための文字・記号レイヤなどから構成されている。本実施形態では、ＤＶＤ−ＲＯＭ１ａに格納されている詳細地図データは、ナビゲーション装置本体１０内部の記憶部１７に格納された簡略地図データ（一部に詳細地図データを含む）を用いた経路案内では不都合が生じると判断されたときに使用される。
【００１７】
また、２はナビゲーション装置本体１０を操作するための操作ボタン等が設けられた操作部である。本実施形態では、操作部２にリモコン送信機が含まれており、ユーザは手元のリモコン送信機でナビゲーション装置本体１０を操作することもできる。
【００１８】
また、３は複数のＧＰＳ衛星から送られてくるＧＰＳ信号を受信して車両の現在位置の経度、緯度、ＰＤＯＰ(Position DOP)値及びＨＤＯＰ(Horizontal DOP)値等のＧＰＳデータを生成して出力するＧＰＳ受信機を示す。４は自立航法センサを示す。この自立航法センサ４は、車両回転角度を検出するジャイロ等の角度センサと、一定の走行距離毎にパルスを発生する走行距離センサとにより構成されている。
【００１９】
また、５は各種のサービスセンターと通信するための車載電話機等の通信機であり、この通信機５を介して最新の地図情報のデータを取得することができる。６は電波ビーコン又は光ビーコンから送られてくるＶＩＣＳ（道路交通情報通信システム）情報を受信するＶＩＣＳ受信機を示す。これらのビーコンは路側に設置され、警察署、道路管理者及び統合センターに接続され、周辺の渋滞情報等を提供する。
【００２０】
また、７は液晶パネル等の表示部であり、ナビゲーション装置本体１０は、この表示部７に車両の現在位置の周囲の地図を表示したり、出発地から目的地までの誘導経路や車両マーク及びその他の案内情報を表示する。表示部７はその画面上にタッチパネルが設けられ、表示画面の表示内容と対になった各種のボタンが構成される。また、タッチパネルはこれら各種のボタンで示されるメニュー等を選択するための入力装置となる。８は音声によりユーザに案内情報を提供するためのスピーカーである。
【００２１】
ナビゲーション装置本体１０は以下のものから構成されている。１１はＤＶＤ−ＲＯＭ１ａから読み出された地図データや記憶部１７に格納されている地図データを一時的に格納するバッファメモリを示す。
【００２２】
１２はマイクロコンピュータにより構成される制御部を示す。制御部１２は、ナビゲーション用のプログラムを内蔵しており、このプログラムに従い、ＧＰＳ受信機３から出力される信号や、自立航法センサ４から出力される信号に基づいて自車の現在位置を算出したり、記憶部１７に格納されている簡略地図データを用いて設定された探索条件で出発地から目的地までの誘導経路を探索するなど、種々の処理を実行する。また、本発明に関連する機能としては、後述するように、ナビゲーション装置本体１０の記憶部１７に格納されている簡略な地図データを用いて経路探索をした結果に応じて、目的地周辺の詳細地図データをダウンロードすることをユーザに促す処理をしたり、ユーザの指示等に従って、ＤＶＤドライブ１を介してＤＶＤ-ＲＯＭ１ａから詳細地図データを読み出し、読み出された地図データを用いて誘導経路を再探索したりする。
【００２３】
１３はバッファメモリ１１に読み出された地図データを用いて地図画像を生成する地図描画部、１４は動作状況に応じた各種メニュー画面（操作画面）や車両位置マーク及びカーソル等の各種マークを生成する操作画面・マーク発生部である。
【００２４】
１５は制御部１２で探索した誘導経路を記憶する誘導経路記憶部、１６は誘導経路を描画する誘導経路描画部を示す。誘導経路記憶部１５には、制御部１２によって探索された誘導経路の全ノードが出発地から目的地まで記憶される。誘導経路描画部１６は、地図を表示する際に、誘導経路記憶部１５から誘導経路情報を読み出して、誘導経路を他の道路とは異なる色及び線幅で描画する。
【００２５】
１７はフラッシュメモリ等の半導体メモリで構成される記憶部を示し、簡略な地図データとそれに付随した施設のデータ等が格納されている。なお、簡略な地図データには、一部に詳細な地図データが含まれるようにすることも可能である。
【００２６】
１８は音声出力部を示し、制御部１２からの信号に基づいて音声信号をスピーカー８に供給する。１９は画像合成部を示し、地図描画部１３で描画された地図画像に、操作画面・マーク発生部１４で生成した各種マークや操作画面、誘導経路描画部１６で描画した誘導経路などを重ね合わせて表示部７に表示させる。
【００２７】
このように構成された車載用ナビゲーション装置１００における、誘導経路の探索について、図２から図５を参照しながら説明する。図２は、目的地周辺の詳細な地図が存在しない場合と存在する場合に行われた誘導経路探索の結果の一例を示す図であり、図３は、経路探索中、及び経路探索終了時の案内を示す画面例である。また、図４は、ダウンロードの対象となる詳細地図データの領域を指定する画面の一例を示した図であり、図５は、詳細地図データのダウンロードを推奨する処理の一例を示すフローチャートである。
【００２８】
本実施形態では、ナビゲーション装置本体１０の記憶部１７に格納される地図データが、記憶部１７の容量の制約により、大部分が簡略化された地図データとなっている場合を対象としている。また、詳細な地図データが格納されたＤＶＤ−ＲＯＭ等の記憶媒体を利用して詳細な地図データを取得することが可能となっているものとする。なお、簡略化された地図データは、主要な道路やそれに付随した施設等が含まれている地図データであり、詳細な地図データは、主要な道路だけでなく細街路等道路や施設のすべての情報が含まれている地図データである。
【００２９】
図２は、目的地２４が指定されて誘導経路が探索された結果の一部を示した図であり、目的地２４に近い領域を表示したものである。図２（ａ）は、記憶部１７に格納された簡略地図データを用いて目的地２４までの誘導経路を探索した結果を示している。図２（ａ）に示すように、目的地付近の地図画像２１として、詳細地図画像２２ａと簡略地図画像２２ｂとが表示され、目的地２４は簡略地図画像２２ｂの領域に含まれている。
【００３０】
詳細地図画像２２ａには、主要な道路２３（図２（ａ）では太線で示されている）の他にも細街路などが表示されているが、簡略地図画像２２ｂでは道路２３等の太線で示した主要な道路だけが表示されている。
【００３１】
出発地である自車位置から目的地２４までの誘導経路の探索は通常の経路探索と同様に行われる。すなわち、リンクで表された地図データ上の道路に対して、一般道路優先や高速道路優先等の探索条件に応じてリンクコストが計算され、最適な経路を検出する。地図データが存在する領域で経路探索が行われるが、目的地２４の周辺の地図データが詳細地図データでない場合は、例えば細街路等の道路は登録されず、国道等の主要な道路が地図データに登録されるために、目的地２４の近い位置までの経路を探索することができない場合がある。図２（ａ）に示すように、経路探索の終了地点２８が目的地２４から数十キロ離れてしまう場合も起こり得る。
【００３２】
図２（ｂ）は、図２（ａ）と同一範囲の地図画像２１を示しており、詳細地図画像２２ｃは、図２（ａ）の簡略地図画像２２ｂに対応する領域を詳細地図データを用いて表示したものである。また、図２（ｂ）には、目的地２４の周辺の地図が詳細地図データの場合に探索された誘導経路２６が示されている。
【００３３】
図２（ｂ）に示すように、目的地２４の周辺の地図には太線で示された主要な道路以外の道路も表示され、経路探索の終了地点２９から目的地２４までの距離が図２（ａ）に比べて短くなっている。
【００３４】
本実施形態では、図２（ａ）に示したような経路探索の終了地点から目的地までの距離が所定距離以上離れていると判定されたとき、詳細な地図データのダウンロードを推奨するようにしている。
【００３５】
図３は、誘導経路探索時の案内画面３２の一例である。図３（ａ）は目的地が指定されて誘導経路の探索を実施している状況を示す画面例である。案内画面３２には、どの程度探索が進行しているかを示す表示がされている。また、図３（ｂ）は、探索の結果、経路探索終了地点２８から目的地２４までの距離が所定の距離（例えば１０ｋｍ以上）離れている場合に、目的地周辺の詳細地図データをダウンロードすることを推奨するメッセージを結果表示画面３３に表示している例である。
【００３６】
結果表示画面３３には、ダウンロード推奨メッセージとともに経路探索終了地点２８から目的地２４までの距離も表示される。また、「はい」ボタン３４、「いいえ」ボタン３５が表示され、詳細地図データをダウンロードするか否かをユーザが選択可能になっている。
【００３７】
図３（ｂ）の結果表示画面において「はい」ボタン３４が選択されると、領域指定等の所定の操作を経て目的地２４周辺の詳細地図データがＤＶＤ−ＲＯＭ１ａから記憶部１７にダウンロードされ、目的地２４までの経路探索が再度行なわれる。また、「いいえ」ボタン３５が選択されたときは詳細地図データのダウンロードは行われない。
【００３８】
指定された領域の詳細地図データがダウンロードされた後の経路探索では、目的地周辺の詳細地図データがダウンロードされた状態で出発地から目的地までの経路探索を行うようにしてもよいし、目的地周辺の更新された詳細地図の領域に対してのみ新たに経路探索を行うようにしてもよい。更新され詳細地図の領域に対して経路探索を行う場合には、既に経路探索を行った領域の道路のうち誘導経路とされた道路を詳細地図データに更新された領域から検出し、更新された領域の境界地点から目的地までの経路を探索するようにする。例えば、図２（ａ）において誘導経路２５となった道路２３を検出し、図２（ｂ）に示すような詳細地図データに更新された詳細地図画像２２ｃの領域において、道路２３上の境界地点２７から経路探索を行う。
【００３９】
次に、目的地周辺の詳細地図データのダウンロードについて説明する。ダウンロードする詳細地図データの範囲の指定は、予め定められた領域を指定する場合と、領域を任意に指定する場合とが考えられる。また、この範囲の指定をユーザが行う場合と、自動的に行う場合とが考えられる。以下、これらの場合について説明する。
【００４０】
なお、ＤＶＤ−ＲＯＭに格納されている詳細地図は、予め所定の領域単位で取得できるようになっているものとする。例えば、日本国内の地図データであれば、都道府県や市町村などの行政区画単位で取得可能とする。
【００４１】
（１）ダウンロード単位が予め決められている詳細地図データの領域をユーザが指定する場合
この場合は、図３（ｂ）に示すように詳細地図データのダウンロードが推奨され、「はい」ボタン３４が押下されると、詳細地図ダウンロードが可能な領域を示すダウンロード領域指定画面が表示される。図４は、ダウンロード領域指定画面４１の一例を示している。図４では日本地図４２や地域一覧４３により、日本国内を都道府県単位で詳細地図のダウンロード領域を指定できるようになっている。この画面４１において、目的地２４が含まれている領域が網かけで表示され（図４では福島県）、「ＤＬ」ボタン４４を選択することにより、この領域の詳細地図データがＤＶＤ−ＲＯＭ１ａから記憶部１７にダウンロードされる。その後、目的地２４までの誘導経路探索が再度実施される。その結果、図２（ｂ）に示したように経路探索終了地点２９から目的地２４までの距離は詳細地図データがない図２（ａ）の場合に比べて近くなり、適切な経路案内をすることが可能となる。
【００４２】
（２）ダウンロード単位が予め決められている詳細地図データの領域が自動的に指定される場合
この場合は、図３（ｂ）に示すように、詳細地図データのダウンロードが推奨され、「はい」ボタン３４が押下されると、目的地２４が含まれる詳細地図データの地域を検索し、その地域の詳細地図データをＤＶＤ−ＲＯＭ１ａから記憶部１７にダウンロードし、目的地までの誘導経路探索を再度実施する。その結果は（１）の場合と同様である。
【００４３】
なお、誘導経路探索を再度行う際に、ＤＶＤ−ＲＯＭ１ａからダウンロードする詳細地図データの領域がどこであるかを示す表示を行うようにしてもよい。
【００４４】
（３）必要な領域の詳細地図データをユーザの指定によりダウンロードする場合
この場合は、図３（ｂ）に示すように、詳細地図データのダウンロードが推奨され、「はい」ボタン３４が押下されると、探索結果の目的地周辺の地図画像が表示される。この地図画像上で領域を指定すると、その領域に対応した範囲の詳細地図データがＤＶＤ−ＲＯＭ１ａからダウンロードされる。ダウンロード後に再び経路探索を行うことにより、目的地までの適切な誘導経路が探索される。
【００４５】
（４）必要な領域の詳細地図データを自動的にダウンロードする場合
この場合は、図３（ｂ）に示すように、詳細地図データのダウンロードが推奨され、「はい」ボタン３４が押下されると、例えば、目的地２４を中心として半径が経路探索終了地点から目的地までの距離の範囲の領域をＤＶＤ−ＲＯＭ１ａに格納されている詳細地図データから抽出してダウンロードを行う。ダウンロード後に、再び経路探索を行い、目的地までの適切な誘導経路が探索される。
【００４６】
なお、上記（１）から（４）の場合について、詳細地図データが存在している場合であっても経路探索終了地点から目的地までの距離が所定の距離以上離れている場合も起こり得る。この場合は、経路探索終了地点から目的地までの距離を出力するとともに、詳細地図データがロードされている旨のメッセージを出力するようにしてもよい。
【００４７】
以上説明したように、本実施形態の車載用ナビゲーション装置では、記憶部１７に格納されている地図データを用いて誘導経路の探索を行ったとき、目的地周辺の地図データが詳細地図データではないために経路探索終了地点から目的地までの距離が離れていることが起こり得る。このような状況のとき、目的地周辺の地図データを詳細地図データにすることを推奨するようにしている。この推奨に従い詳細地図データをダウンロードして目的地までの経路を再探索した場合には、経路探索終了地点から目的地までの距離は詳細地図データがないときよりも短くなり、より適切な経路案内を行うことが可能となる。
【００４８】
次に、車載用ナビゲーション装置が行う詳細地図データのダウンロード推奨処理について、図５のフローチャートを用いて説明する。
【００４９】
まず、最初のステップＳ１１では、誘導経路探索を行う。誘導経路探索は、自車位置からユーザが指定した目的地までの経路を一般道路優先や高速道路優先などの探索条件に応じて探索する。この探索は記憶部１７に格納されている地図データを参照して行う。記憶部１７に格納されている地図データはメモリ容量の制約からすべての領域にわたって詳細な地図データが格納されているとは限らない。そのため、目的地周辺の地図データが詳細地図データでない場合もある。
【００５０】
次のステップＳ１２では、経路探索終了地点から目的地までの距離を算出する。目的地周辺の地図データが詳細であるか否かにかかわらず経路探索が行われ、目的地から一番近い道路の地点が経路探索の終了地点となる。この経路探索終了地点の座標位置と目的地の座標位置からその間の距離を算出する。
【００５１】
次のステップＳ１３では、ステップＳ１２で算出された経路探索終了地点から目的地までの距離が所定の距離、例えば１０ｋｍ以上離れているか否かを判定する。所定の距離以上離れていればステップＳ１４に移行し、所定の距離以上離れていなければ本処理は終了する。
【００５２】
次のステップＳ１４では、目的地周辺の詳細地図データがダウンロードされているか否かを検出する。詳細地図がダウンロードされていない場合にはステップＳ１５に移行し、詳細地図がダウンロードされている場合には、本処理は終了する。地図データは所定の領域、例えば市町村等の行政区画の単位で管理され、各領域ごとに地図データが詳細地図データか簡略地図データかを識別するフラグが用意される。目的地周辺の地図データが詳細地図データか否かは、目的地が含まれる領域の識別フラグを参照することによって判定される。
【００５３】
次のステップＳ１５では、目的地周辺の詳細地図データのダウンロードを推奨するメッセージを出力する。このメッセージは、例えば図３（ｂ）に示すように、経路探索終了地点から目的地までの距離とともに出力される。このダウンロード推奨メッセージに対して、ダウンロードをする旨の「はい」ボタン３４が選択されることにより、指定地域の詳細地図データが記憶部１７にダウンロードされ、目的地までの誘導経路が再度探索される。
【００５４】
以上、図５を参照して説明したように、本実施形態の詳細地図データのダウンロード推奨処理方法では、経路探索終了地点から目的地までの距離が所定の距離以上離れているか否かを検出するとともに、目的地周辺の詳細地図データがダウンロードされているか否かを検出し、詳細地図がダウンロードされていないときに探索終了地点から目的地までの距離が離れている場合に詳細地図データのダウンロードを促すようにしている。このように目的地周辺の詳細地図データが記憶部１７に存在していない場合であっても、経路探索終了地点から目的地までの距離が所定の距離以下であればユーザにとって不都合がないとみなし、詳細地図データを外部メモリからダウンロードすることはしていない。これにより、小容量の記憶部１７のメモリ領域を詳細地図データのロードにより圧迫することを回避することができる。
【００５５】
なお、本実施形態では、詳細地図データのダウンロードは、ＤＶＤ−ＲＯＭ１ａから取得する場合について説明したが、これに限らず、詳細地図データを携帯電話などの通信機５を介して外部の情報センターのサーバから取得するようにしてもよい。
【００５６】
また、図３（ｂ）に示すように誘導経路の探索の結果、詳細地図データのダウンロードを推奨する旨のメッセージを表示しているが、表示だけでなく、このメッセージをスピーカーを通して音声により出力するようにしてもよい。
【００５７】
また、図２（ａ）、（ｂ）に示すような検索結果の地図とともに、経路探索終了地点から目的地までの距離を表示してもよく、距離を音声出力するようにしてもよい。
【図面の簡単な説明】
【００５８】
【図１】本発明の一実施形態に係る車載用ナビゲーション装置の構成を示すブロック図である。
【図２】図２（ａ）は、目的地周辺の詳細な地図がない場合の誘導経路の一例を示す図であり、図２（ｂ）は、目的地周辺の詳細地図が存在する場合の誘導経路の一例を示す図である。
【図３】誘導経路探索時の案内を示す画面の一例である。
【図４】ダウンロードの対象となる詳細地図データの領域を指定する画面の一例である。
【図５】詳細地図データのダウンロードを推奨する処理の一例を示すフローチャートである。
【符号の説明】
【００５９】
１００…車載用ナビゲーション装置、
１…ＤＶＤドライブ、
１ａ…ＤＶＤ−ＲＯＭ（第２の記憶手段）、
２…操作部（情報入力手段）、
１１…バッファメモリ（第１の記憶手段）、
１２…制御部（制御手段）、
１７…記憶部（第１の記憶手段）、
２１…目的地付近の地図画像、
２２ａ、２２ｃ…詳細地図画像、
２２ｂ…簡略地図画像、
２３…主要道路、
２５，２６…誘導経路。
【図１】
2010145352.tif 000003
【図２】
2010145352.tif 000004
【図３】
2010145352.tif 000005
【図４】
2010145352.tif 000006
【図５】
2010145352.tif 000007